【手続補正書】
【提出日】平成17年6月10日(2005.6.10)
【手続補正１】
【補正対象書類名】明細書
【補正対象項目名】発明の名称
【補正方法】変更
【補正の内容】
【発明の名称】識別情報生成方法、情報記憶媒体及び記憶装置
【手続補正２】
【補正対象書類名】明細書
【補正対象項目名】特許請求の範囲
【補正方法】変更
【補正の内容】
【特許請求の範囲】
【請求項１】
情報量をビット単位で書き込み可能な情報記憶媒体を同種の他の情報記憶媒体と識別するために、十進法で表現される少なくとも４桁の固有の識別情報を生成させてそれぞれの情報記憶媒体に付与する識別情報生成方法であって、
上記識別情報の全部又は一部を、上記情報記憶媒体に関する特定の物の使用に割り当てられている当該情報記憶媒体の特定記憶領域における少なくとも下位の３バイトを用いて生成させるようにしたことを特徴とする識別情報生成方法。
【請求項２】
上記特定記憶領域は、上記情報記憶媒体を製造する製造者又は販売する販売者に対して割り当てられている製造者等使用領域であることを特徴とする請求項１記載の識別情報生成方法。
【請求項３】
上記情報記憶媒体は、ディスク状をなす媒体本体の一面又は両面に情報を記録するための情報記憶領域が設けられたディスク状記憶媒体からなり、
上記識別情報は、上記ディスク状記憶媒体の上記情報記憶領域のうち最内周側に設けたことを特徴とする請求項１記載の識別情報生成方法。
【請求項４】
上記情報記憶媒体は、情報の書き換えが可能な半導体メモリが設けられた半導体記憶装置からなり、
上記識別情報は、上記半導体記憶装置の上記半導体メモリに固有に割り当てられた記憶領域に記憶されていることを特徴とする請求項１記載の識別情報生成方法。
【請求項５】
上記識別情報を上記情報記憶媒体の表面に印刷、刻印、書込み又はラベル貼付等の表示手段によって表示し、当該識別情報を外部から視認できるようにしたことを特徴とする請求項１記載の識別情報生成方法。
【請求項６】
上記識別情報を上記情報記憶媒体が収納される筐体の表面に印刷、刻印、書込み又はラベル貼付等の表示手段によって表示し、当該識別情報を上記筐体を介して外部から視認できるようにしたことを特徴とする請求項１記載の識別情報生成方法。
【請求項７】
上記識別情報は、上記情報記憶媒体に記憶されている情報を光学的に再生するピックアップ装置によって再生可能な形態で記憶され、当該識別情報自体又は当該識別情報の内容が表示装置によって表示可能であることを特徴とする請求項１記載の識別情報生成方法。
【請求項８】
情報量をビット単位で書き込み可能な情報記憶媒体であって、同種の他の情報記憶媒体と識別するために、十進法で表現される少なくとも４桁の固有の識別情報が付与されると共に、
上記識別情報は、その全部又は一部が上記情報記憶媒体に関する特定の物の使用に割り当てられている当該情報記憶媒体の特定記憶領域における少なくとも下位の３バイトに対応して付与されており、上記情報記憶媒体の表面に印刷、刻印、書込み又はラベル貼付等の表示手段によって表示され、外部から視認できるようにしたことを特徴とする情報記憶媒体。
【請求項９】
筐体に収納されて、情報量をビット単位で書き込み可能な情報記憶媒体であって、同種の他の情報記憶媒体と識別するために、十進法で表現される少なくとも４桁の固有の識別情報が付与されると共に、
上記識別情報は、その全部又は一部が上記情報記憶媒体に関する特定の物の使用に割り当てられている当該情報記憶媒体の特定記憶領域における少なくとも下位の３バイトに対応して付与されており、上記筐体の表面に印刷、刻印、書込み又はラベル貼付等の表示手段によって表示され、当該識別情報を上記筐体を介して外部から視認できるようにしたことを特徴とする情報記憶媒体。
【請求項１０】
上記特定記憶領域は、上記情報記憶媒体を製造する製造者又は販売する販売者に対して割り当てられている製造者等使用領域であることを特徴とする請求項８又は９記載の情報記憶媒体。
【請求項１１】
上記情報記憶媒体は、ディスク状をなす媒体本体の一面又は両面に情報を記録するための情報記憶領域が設けられたディスク状記憶媒体からなり、
上記識別情報は、上記ディスク状記憶媒体の上記情報記憶領域のうち最内周側に設けたことを特徴とする請求項８又は９記載の情報記憶媒体。
【請求項１２】
上記情報記憶媒体は、情報の書き込みが可能な半導体メモリからなり、
上記識別情報は、上記半導体メモリに固有に割り当てられた記憶領域に記憶されていることを特徴とする請求項９記載の情報記憶媒体。
【請求項１３】
情報量をビット単位で書き込み可能な情報記憶媒体を有する記憶装置であって、同種の他の記憶装置と識別するために、十進法で表現される少なくとも４桁の固有の識別情報が付与される記憶装置において、
上記識別情報の全部又は一部を、上記記憶装置に関する特定の物の使用に割り当てられている当該記憶装置の特定記憶領域における少なくとも下位の３バイトを用いて生成させるようにしたことを特徴とする記憶装置。
【手続補正３】
【補正対象書類名】明細書
【補正対象項目名】０００１
【補正方法】変更
【補正の内容】
【０００１】
【発明の属する技術分野】
本発明は、情報量をビット単位で書き込み可能な情報記憶媒体又は当該情報記憶媒体を有する記憶装置を同種の他の情報記憶媒体又は記憶装置と識別するために、それぞれの情報記憶媒体又は記憶装置に個別に付与される識別情報を生成させる識別情報生成方法、その識別情報が付与された情報記憶媒体、及びその情報記憶媒体を有する記憶装置に関するものである。
【手続補正４】
【補正対象書類名】明細書
【補正対象項目名】０００３
【補正方法】変更
【補正の内容】
【０００３】
【発明が解決しようとする課題】
このような大容量の光学ディスクには、多くのコンテンツが記録可能である。従って、どの光学ディスクにどのコンテンツが記録されているかを見出すためには、一々光学ディスクを記録再生装置に装填して再生してみる必要があり、そのため、煩雑で手間がかかるという問題がある。このような問題点は、光学ディスクと同様にメモリカード等に代表される半導体記録装置についても言える。
【手続補正５】
【補正対象書類名】明細書
【補正対象項目名】０００７
【補正方法】変更
【補正の内容】
【０００７】
本発明は、このような従来の課題に鑑みてなされたものであり、光ディスクや半導体メモリ等の情報記憶媒体に記憶されている情報（コンテンツ）を再生することなく、どのようなコンテンツが同種の情報記憶媒体又は記憶装置におけるどの情報記憶媒体又は記憶装置に記憶されているのかを容易に知ることが可能な識別情報を生成する識別情報生成方法、情報記憶媒体及び記憶装置を提供することにある。
【手続補正６】
【補正対象書類名】明細書
【補正対象項目名】０００８
【補正方法】変更
【補正の内容】
【０００８】
【課題を解決するための手段】
上述したような課題等を解決し、上記目的を達成するために、本出願の請求項１記載の記憶装置の識別情報生成方法は、情報量をビット単位で書き込み可能な情報記憶媒体を同種の他の情報記憶媒体と識別するために、十進法で表現される少なくとも４桁の固有の識別情報を生成させてそれぞれの情報記憶媒体に付与する識別情報生成方法であって、識別情報の全部又は一部を、情報記憶媒体に関する特定の物の使用に割り当てられている情報記憶媒体の特定記憶領域における少なくとも下位の３バイトを用いて生成させるようにしたことを特徴としている。
【手続補正７】
【補正対象書類名】明細書
【補正対象項目名】０００９
【補正方法】変更
【補正の内容】
【０００９】
本出願の請求項２記載の識別情報生成方法は、特定記憶領域は、情報記憶媒体を製造する製造者又は販売する販売者に対して割り当てられている製造者等使用領域であることを特徴としている。
【手続補正８】
【補正対象書類名】明細書
【補正対象項目名】００１０
【補正方法】変更
【補正の内容】
【００１０】
本出願の請求項３記載の識別情報生成方法は、情報記憶媒体は、ディスク状をなす媒体本体の一面又は両面に情報を記録するための情報記憶領域が設けられたディスク状記憶媒体からなり、識別情報は、ディスク状記憶媒体の情報記憶領域のうち最内周側に設けたことを特徴としている。
【手続補正９】
【補正対象書類名】明細書
【補正対象項目名】００１１
【補正方法】変更
【補正の内容】
【００１１】
本出願の請求項４記載の識別情報生成方法は、情報記憶媒体は、情報の書き換えが可能な半導体メモリが設けられた半導体記憶装置からなり、識別情報は、半導体記憶装置の半導体メモリに固有に割り当てられた記憶領域に記憶されていることを特徴としている。
【手続補正１０】
【補正対象書類名】明細書
【補正対象項目名】００１２
【補正方法】変更
【補正の内容】
【００１２】
本出願の請求項５記載の識別情報生成方法は、識別情報を情報記憶媒体の表面に印刷、刻印、書込み又はラベル貼付等の表示手段によって表示し、識別情報を外部から視認できるようにしたことを特徴としている。
【手続補正１１】
【補正対象書類名】明細書
【補正対象項目名】００１３
【補正方法】変更
【補正の内容】
【００１３】
本出願の請求項６記載の識別情報生成方法は、識別情報を情報記憶媒体が収納される筐体の表面に印刷、刻印、書込み又はラベル貼付等の表示手段によって表示し、識別情報を筐体を介して外部から視認できるようにしたことを特徴としている。
【手続補正１２】
【補正対象書類名】明細書
【補正対象項目名】００１４
【補正方法】変更
【補正の内容】
【００１４】
本出願の請求項７記載の識別情報生成方法は、識別情報は、情報記憶媒体に記憶されている情報を光学的に再生するピックアップ装置によって再生可能な形態で記憶され、識別情報自体又は識別情報の内容が表示装置によって表示可能であることを特徴としている。
本出願の請求項８記載の情報記憶媒体は、情報量をビット単位で書き込み可能な情報記憶媒体であって、同種の他の情報記憶媒体と識別するために、十進法で表現される少なくとも４桁の固有の識別情報が付与されると共に、識別情報は、その全部又は一部が情報記憶媒体に関する特定の物の使用に割り当てられている情報記憶媒体の特定記憶領域における少なくとも下位の３バイトに対応して付与されており、情報記憶媒体の表面に印刷、刻印、書込み又はラベル貼付等の表示手段によって表示され、外部から視認できるようにしたことを特徴としている。
本出願の請求項９記載の情報記憶媒体は、筐体に収納されて、情報量をビット単位で書き込み可能な情報記憶媒体であって、同種の他の情報記憶媒体と識別するために、十進法で表現される少なくとも４桁の固有の識別情報が付与されると共に、識別情報は、その全部又は一部が情報記憶媒体に関する特定の物の使用に割り当てられている情報記憶媒体の特定記憶領域における少なくとも下位の３バイトに対応して付与されており、筐体の表面に印刷、刻印、書込み又はラベル貼付等の表示手段によって表示され、識別情報を筐体を介して外部から視認できるようにしたことを特徴としている。
本出願の請求項１０記載の情報記憶媒体は、特定記憶領域は、情報記憶媒体を製造する製造者又は販売する販売者に対して割り当てられている製造者等使用領域であることを特徴としている。
本出願の請求項１１記載の情報記憶媒体は、情報記憶媒体は、ディスク状をなす媒体本体の一面又は両面に情報を記録するための情報記憶領域が設けられたディスク状記憶媒体からなり、識別情報は、ディスク状記憶媒体の情報記憶領域のうち最内周側に設けたことを特徴としている。
本出願の請求項１２記載の情報記憶媒体は、情報記憶媒体は、情報の書き込みが可能な半導体メモリからなり、識別情報は、半導体メモリに固有に割り当てられた記憶領域に記憶されていることを特徴としている。
また、本出願の請求項１３記載の記憶装置は、情報量をビット単位で書き込み可能な情報記憶媒体を有する記憶装置であって、同種の他の記憶装置と識別するために、十進法で表現される少なくとも４桁の固有の識別情報が付与される記憶装置において、識別情報の全部又は一部を、記憶装置に関する特定の物の使用に割り当てられている記憶装置の特定記憶領域における少なくとも下位の３バイトを用いて生成させるようにしたことを特徴としている。
【手続補正１３】
【補正対象書類名】明細書
【補正対象項目名】００１５
【補正方法】変更
【補正の内容】
【００１５】
上述のように構成したことにより、本出願の請求項１記載の識別情報生成方法では、情報記憶媒体の特定の物の使用に割り当てられている特定記憶領域の少なくとも下位の３バイトを用いて識別情報の全部又は一部を生成することにより、多くの同種の情報記憶媒体又は記憶装置に対して個別に識別情報を生成させて付与することができる。その結果、使用する数値の桁数があまり大きくなることがなく、この識別情報を利用する装置による処理時間を短くできると共に、同じ識別情報が生成されるのを極力少なくしてユーザーによる区別が容易にできるようにする。
【手続補正１４】
【補正対象書類名】明細書
【補正対象項目名】００１６
【補正方法】変更
【補正の内容】
【００１６】
本出願の請求項２記載の識別情報生成方法では、情報記憶媒体の特定記憶領域として製造者等使用領域を用いることにより、製造者又は販売者において都合の良い識別情報を任意に生成させることができ、製造者等の段階において同種の情報記憶媒体又は記憶装置内で他の情報記憶媒体又は記憶装置と容易に識別することができる。
【手続補正１５】
【補正対象書類名】明細書
【補正対象項目名】００１７
【補正方法】変更
【補正の内容】
【００１７】
本出願の請求項３記載の識別情報生成方法では、多数のディスク状記憶媒体に対して十進法で表現される少なくとも４桁の固有の識別情報を生成させて付与することができ、ディスク状記憶媒体に固有に割り当てられたディスク識別情報を情報記憶領域の特定記憶領域に記憶することにより、その特定記憶領域に記憶されたコンテンツ情報をディスク用の記録再生装置により検索して識別することができる。
【手続補正１６】
【補正対象書類名】明細書
【補正対象項目名】００１８
【補正方法】変更
【補正の内容】
【００１８】
本出願の請求項４記載の識別情報生成方法では、多数の半導体メモリに対して十進法で表現される少なくとも４桁の固有の識別情報を生成させて付与することができ、半導体メモリに固有に割り当てられた半導体メモリ識別情報を半導体メモリの特定記憶領域に記憶することにより、その特定記憶領域に記憶されたコンテンツ情報を半導体メモリ用の記録再生装置により検索して識別することができる。
【手続補正１７】
【補正対象書類名】明細書
【補正対象項目名】００１９
【補正方法】変更
【補正の内容】
【００１９】
本出願の請求項５記載の識別情報生成方法では、識別情報を情報記憶媒体の表面に印刷、刻印、書込み、ラベル貼付等の表示手段によって表示し、その識別情報を外部から視認できるようにすることにより、情報記憶媒体のコンテンツを再生することなく、どのようなコンテンツがどの情報記憶媒体に記憶されているかを容易に知ることができる。
【手続補正１８】
【補正対象書類名】明細書
【補正対象項目名】００２０
【補正方法】変更
【補正の内容】
【００２０】
本出願の請求項６記載の識別情報生成方法では、識別情報を情報記憶媒体が収納される筐体の表面に印刷、刻印、書込み、ラベル貼付等の表示手段によって表示し、その識別情報を外部から視認できるようにすることにより、中身である情報記憶媒体のコンテンツを再生することなく、どのようなコンテンツがどの筐体内の情報記憶媒体に記憶されているかを容易に知ることができる。
【手続補正１９】
【補正対象書類名】明細書
【補正対象項目名】００２１
【補正方法】変更
【補正の内容】
【００２１】
本出願の請求項７記載の識別情報生成方法では、情報記憶媒体に記憶されている識別情報を光学的に再生するピックアップ装置によって再生することにより、識別情報自体又はその識別情報の内容を記録再生装置により検索して識別できると共に、そのコンテンツ情報を表示装置に表示することができる。
【手続補正２０】
【補正対象書類名】明細書
【補正対象項目名】００３６
【補正方法】変更
【補正の内容】
【００３６】
【表１】
2004021641.tif 000001
【手続補正２１】
【補正対象書類名】明細書
【補正対象項目名】００５８
【補正方法】変更
【補正の内容】
【００５８】
基盤面９に対するディスク識別情報１４の記録は、例えば、レーザーマーキング装置ＬＭによって行うことができる。レーザーマーキング装置ＬＭでレーザビームを情報記憶面４のトランジション領域６に照射し、その相変化記録膜に相変化を与えて記録する（図２（Ｂ））。次に、ディスク識別情報のうち、下４桁の十進数（例えば「１２３４」）からなるディスク識別情報１４を基体２の基盤面９に、レーザーマーキング装置ＬＭによりレーザビームを照射することによって設ける（図２（Ｃ））。
【手続補正２２】
【補正対象書類名】明細書
【補正対象項目名】００６２
【補正方法】変更
【補正の内容】
【００６２】
図３は、上述のように形成される光ディスク１をカートリッジケース２１内に回転自在に収納してディスクカートリッジ２０を構成すると共に、カートリッジケース２１にディスク識別情報１４と同一のカートリッジ識別情報２２を付与した実施の例を示すものである。
【手続補正２３】
【補正対象書類名】明細書
【補正対象項目名】００７１
【補正方法】変更
【補正の内容】
【００７１】
記録再生装置３１は、装置本体が収納される筐体３３と、この筐体３３のフロント面に設けられ且つ装置本体に供給される電流をオン・オフさせる電源スイッチ３４と、動作を起こさせる信号等を入力する操作部３５と、動作状態等を表示する表示部３６と、動作を起こさせる信号等を遠隔操作によって入力させるリモコン装置３７等を備えて構成されている。操作部３５及び表示部３６は電源スイッチ３４と同様にフロント面に設けられていて、操作部３５は、光ディスク１の再生、記録、停止、早送り、巻戻し、イジェクト等の操作を行うものである。
【手続補正２４】
【補正対象書類名】明細書
【補正対象項目名】００７６
【補正方法】変更
【補正の内容】
【００７６】
また、リモコン装置３７と操作部３５は、コンテンツ内容情報を手動操作によって入力することができるように構成されている。これらによって入力されたコンテンツ内容情報は、制御装置の制御によって記録再生部から光ピックアップ装置に記録信号として入力され、光ディスク１のリライタブル領域７ｂのデータ領域に管理されて記録されるようになっている。
【手続補正２５】
【補正対象書類名】明細書
【補正対象項目名】０１０７
【補正方法】変更
【補正の内容】
【０１０７】
【発明の効果】
以上説明したように、本出願の請求項１記載の識別情報生成方法によれば、情報記憶媒体の特定の物の使用に割り当てられている特定記憶領域の少なくとも下位の３バイトを用いて識別情報の全部又は一部を生成するようにしたため、多くの同種の情報記憶媒体又は記憶装置に対して個別に識別情報を生成させて付与することができる。その結果、使用する数値の桁数があまり大きくなることがなく、この識別情報を利用する装置による処理時間を短くできると共に、同じ識別情報が生成されるのを極力少なくしてユーザーによる区別が容易にできるようにすることができるという効果を得ることができる。
【手続補正２６】
【補正対象書類名】明細書
【補正対象項目名】０１０８
【補正方法】変更
【補正の内容】
【０１０８】
本出願の請求項２記載の識別情報生成方法によれば、情報記憶媒体の特定記憶領域として製造者等使用領域を用いることにより、製造者又は販売者において都合の良い識別情報を任意に生成させることができ、製造者等の段階において同種の情報記憶媒体又は記憶装置内で他の情報記憶媒体又は記憶装置と容易に識別することができるという効果を得ることができる。
【手続補正２７】
【補正対象書類名】明細書
【補正対象項目名】０１０９
【補正方法】変更
【補正の内容】
【０１０９】
本出願の請求項３記載の識別情報生成方法によれば、多数のディスク状記憶媒体に対して十進法で表現される少なくとも４桁の固有の識別情報を生成させて付与することができ、ディスク状記憶媒体に固有に割り当てられたディスク識別情報を情報記憶領域の特定記憶領域に記憶することにより、その特定記憶領域に記憶されたコンテンツ情報をディスク用の記録再生装置により検索して識別することができるという効果を得ることができる。
【手続補正２８】
【補正対象書類名】明細書
【補正対象項目名】０１１０
【補正方法】変更
【補正の内容】
【０１１０】
本出願の請求項４記載の識別情報生成方法によれば、多数の半導体メモリに対して十進法で表現される少なくとも４桁の固有の識別情報を生成させて付与することができ、半導体メモリに固有に割り当てられた半導体メモリ識別情報を半導体メモリの特定記憶領域に記憶することにより、その特定記憶領域に記憶されたコンテンツ情報を半導体メモリ用の記録再生装置により検索して識別することができるという効果を得ることができる。
【手続補正２９】
【補正対象書類名】明細書
【補正対象項目名】０１１１
【補正方法】変更
【補正の内容】
【０１１１】
本出願の請求項５記載の識別情報生成方法によれば、識別情報を情報記憶媒体の表面に印刷、刻印、書込み、ラベル貼付等の表示手段によって表示し、その識別情報を外部から視認できるようにすることにより、情報記憶媒体のコンテンツを再生することなく、どのようなコンテンツがどの情報記憶媒体に記憶されているかを容易に知ることができるという効果を得ることができる。
【手続補正３０】
【補正対象書類名】明細書
【補正対象項目名】０１１２
【補正方法】変更
【補正の内容】
【０１１２】
本出願の請求項６記載の識別情報生成方法によれば、識別情報を情報記憶媒体が収納される筐体の表面に印刷、刻印、書込み、ラベル貼付等の表示手段によって表示し、その識別情報を外部から視認できるようにすることにより、中身である情報記憶媒体のコンテンツを再生することなく、どのようなコンテンツがどの筐体内の情報記憶媒体に記憶されているかを容易に知ることができるという効果を得ることができる。
【手続補正３１】
【補正対象書類名】明細書
【補正対象項目名】０１１３
【補正方法】変更
【補正の内容】
【０１１３】
本出願の請求項７記載の識別情報生成方法によれば、情報記憶媒体に記憶されている識別情報を光学的に再生するピックアップ装置によって再生することにより、識別情報自体又はその識別情報の内容を記録再生装置により検索して識別できると共に、そのコンテンツ情報を表示装置に表示することができるという効果を得ることができる。
本出願の請求項８記載の情報記憶媒体によれば、多くの同種の情報記憶媒体に対して個別に識別情報を付与することにより、使用する数値の桁数があまり大きくなることがなく、同じ識別情報が生成されるのを極力少なくしてユーザーによる区別が容易にできる情報記憶媒体を提供することができる。
本出願の請求項９記載の情報記憶媒体によれば、情報記憶媒体が収納される筐体に、多くの同種の情報記憶媒体に対して付与される識別情報を表示することにより、使用する数値の桁数があまり大きくなることがなく、同じ識別情報が生成されるのを極力少なくしてユーザーによる区別が容易にできる筐体に収納される情報記憶媒体を提供することができる。
本出願の請求項１０記載の情報記憶媒体によれば、製造者又は販売者において都合の良い識別情報を任意に生成させることができ、同種の情報記憶媒体の中で他の情報記憶媒体と容易に識別できる情報記憶媒体を提供することができる。
本出願の請求項１１記載の情報記憶媒体によれば、ディスク状記憶媒体に固有に割り当てられたディスク識別情報を情報記憶領域の特定記憶領域に記憶することにより、その特定記憶領域に記憶されたコンテンツ情報をディスク用の記録再生装置により検索して識別できるディスク状記憶媒体を提供することができる。
本出願の請求項１２記載の情報記憶媒体によれば、半導体メモリに固有に割り当てられた半導体メモリ識別情報を半導体メモリの特定記憶領域に記憶することにより、その特定記憶領域に記憶されたコンテンツ情報を半導体メモリ用の記録再生装置により検索して識別できる半導体メモリを提供することができる。
また、本出願の請求項１３記載の記憶装置によれば、多くの同種の記憶装置に対して個別に識別情報を付与することにより、使用する数値の桁数があまり大きくなることがなく、同じ識別情報が生成されるのを極力少なくしてユーザーによる区別が容易にできる記憶装置を提供することができる。